(57)【要約】【課題】空間距離や沿面距離を確保でき、また、ランプケースのワイヤ引き出し口からランプ光や空気が漏れることのない構造のプロジェクタを提供する。【解決手段】ランプユニット１０のランプケース１５に形成されたワイヤ引き出し口には、縁に沿って絶縁カバー２５が取り付けられている。そして、この絶縁カバー２５のワイヤ引き出し用の開口部２５１は、蓋２６によって被覆されている。したがって、ランプケース１５を金属で形成した場合でも、電極端子１１５との間の沿面距離や空間距離を確保することができ、装置の安全性を向上させることができる。また、ランプケース１５に形成されたワイヤ引き出し口１５２には、絶縁カバー２５と蓋２６が取り付けられているので、ランプから放射された光やランプによって加熱された空気がワイヤ引き出し口１５２から漏れるのを防止できる。【選択図】図４
2007286098.tif 000002
【特許請求の範囲】
【請求項１】
電極端子を有するランプの周囲全体をランプケースに被覆され、前記電極端子に接続されたワイヤの引き出し口が前記ランプケースにおける前記電極端子の近傍に形成されたランプユニットを備え、前記ランプユニットから放出された光を用いて画像をスクリーンに投影するプロジェクタにおいて、
前記ワイヤの引き出し口の縁に沿って取り付けられ、前記電極端子の周りを囲み、ワイヤ引き出し用の開口部を有する絶縁部材と、前記開口部を被覆する蓋部材と、を備え、
前記蓋部材は、前記絶縁部材の開口部周縁との当接部分に隣接するリブと、その周囲につばと、を備えたプロジェクタ。
【請求項２】
電極端子を有するランプの周囲全体をランプケースに被覆され、前記電極端子に接続されたワイヤの引き出し口が前記ランプケースにおける前記電極端子の近傍に形成されたランプユニットを備え、前記ランプユニットから放出された光を用いて画像をスクリーンに投影するプロジェクタにおいて、
前記ワイヤの引き出し口の縁に沿って取り付けられ、前記電極端子の周りを囲み、ワイヤ引き出し用の開口部を有する絶縁部材と、前記開口部を被覆する蓋部材と、を備えたプロジェクタ。
【請求項３】
前記蓋部材は、前記絶縁部材の開口部周縁との当接部分に隣接するリブを備えた請求項２に記載のプロジェクタ。
【請求項４】
前記蓋部材は、その周囲につばを備えた請求項２または３に記載のプロジェクタ。
【発明の詳細な説明】
【技術分野】
【０００１】
この発明は、ランプユニットに設けたワイヤ引き出し口から、ランプ光やランプにより加熱された空気の漏れを防止する構造を備えたプロジェクタに関する。
【背景技術】
【０００２】
従来、ディジタル・マイクロミラー・デバイス（ＤＭＤ）や、液晶表示デバイス等の画像表示デバイスに対してランプから光を照射して、この画像表示デバイスに表示させた画像をスクリーンに投影する方式のプロジェクタが普及しつつある。
【０００３】
このようなプロジェクタでは、光源として超高圧水銀ランプ等を使用するが、発熱により非常に高温となる。また、光源として使用するランプを効率良く発光させるためには、ランプを一定の温度に保つ必要がある。そこで、従来のプロジェクタでは、ランプを効率良く冷却するために、プラスチック樹脂などで成型されたランプケースにランプを収納し、ファンを用いてランプに対して風を当ててランプを冷却していた。
【０００４】
また、従来のプロジェクタでは、ランプケース（ランプハウス）の少なくとも一部が金属で形成され、ファンによってランプハウスの金属に沿って流れる空気流を形成する構成のものがあった（例えば、特許文献１参照。）。
【特許文献１】特開２００４−１２８２７号公報
【発明の開示】
【発明が解決しようとする課題】
【０００５】
従来のプロジェクタでは、ランプケースに形成したワイヤ引き出し孔を介して、ランプの電力端子にワイヤを接続し、このワイヤからランプに電力を供給してランプを点灯させている。このとき、ワイヤの被覆がランプの熱で軟化・劣化するのを防ぐために、通常、ランプの電極端子の近傍にワイヤを引き出す孔を設ける。
【０００６】
上記のような構成のプロジェクタでは、特許文献１に記載の投射型表示装置のように、ランプケースを金属で形成した場合、ランプの電極端子の近傍にワイヤを引き出す孔が位置すると、ランプケースと電極端子との間に沿面距離及び空間距離を確保する必要があった。
【０００７】
また、ＵＬ規格の改正に伴い、プロジェクタに使用するプラスチック樹脂部品は、光源として使用するランプのＵＶ直接光に曝されるものについて、全て耐紫外線の規格に適合したものを使用する必要がある。この場合、ランプケース（ランプハウス）から光が漏れ出すと、プロジェクタの筐体や周囲の部品に当たるので、筐体や部品に、耐紫外線の規格に適合したプラスチック樹脂を使用する必要がある。
【０００８】
しかし、耐紫外線の規格に適合したプラスチック樹脂は割高なため、プロジェクタの筐体や部品に使用すると、コストがアップする。また、ランプケースから光が漏れ出す構造であると、ランプによって加熱された空気も漏れ出すため、プロジェクタの筐体や他の部品が加熱して、軟化・変形するおそれがある。そのため、ランプケースのワイヤ引き出し口から光や空気が漏れ出さない構造にする必要があった。
【０００９】
そこで、本発明は、空間距離や沿面距離を確保でき、また、ランプケースのワイヤ引き出し口からランプ光や空気が漏れることのない構造のプロジェクタを提供することを目的とする。
【課題を解決するための手段】
【００１０】
この発明は、上記の課題を解決するための手段として、以下の構成を備えている。
【００１１】
（１）電極端子を有するランプの周囲全体をランプケースに被覆され、前記電極端子に接続されたワイヤの引き出し口が前記ランプケースにおける前記電極端子の近傍に形成されたランプユニットを備え、前記ランプユニットから放出された光を用いて画像をスクリーンに投影するプロジェクタにおいて、
前記ワイヤの引き出し口の縁に沿って取り付けられ、前記電極端子の周りを囲み、ワイヤ引き出し用の開口部を有する絶縁部材と、前記開口部を被覆する蓋部材と、を備えたことを特徴とする。
【００１２】
この構成においては、ランプユニットのランプケースに形成されたワイヤ引き出し口には、縁に沿って絶縁部材が取り付けられている。そして、この絶縁部材のワイヤ引き出し用の開口部は、蓋部材によって被覆されている。したがって、ランプケースを金属で形成した場合でも、電極端子との間の沿面距離や空間距離を確保することができ、装置の安全性を向上させることができる。また、ランプケースに形成されたワイヤ引き出し口には、絶縁部材と蓋部材が取り付けられているので、ランプから放射された光やランプによって加熱された空気がワイヤ引き出し口から漏れるのを防止できる。したがって、プロジェクタの筐体やランプユニットの周囲の部品に耐紫外線の規格に適合したプラスチック樹脂部品ものを使用しなくても良くなり、コストアップを防止できる。また、ランプユニットの周囲の部品が排気漏れにより加熱することがない。
【００１３】
（２）前記蓋部材は、前記絶縁部材の開口部周縁との当接部分に隣接するリブを備えたことを特徴とする。
【００１４】
この構成においては、蓋部材に形成されたリブは、絶縁部材の開口部周縁との当接部分に隣接する。したがって、絶縁部材と蓋部材の間から引き出したワイヤのテンションが蓋部材にかかって、蓋部材と絶縁部材の間に隙間ができたとしても、リブにより隙間を塞ぐことができる。これにより、ランプから放射された光やランプによって加熱された空気がワイヤ引き出し口から漏れるのを防止できる。
【００１５】
（３）前記蓋部材は、その周囲につばを備えたことを特徴とする。
【００１６】
この構成においては、蓋部材はつばを備えているので、絶縁部材の開口部を蓋部材で被覆した際に、つばによって、絶縁部材との当接部を覆うことができる。したがって、絶縁部材と蓋部材の間から引き出したワイヤのテンションが蓋部材にかかって、蓋部材と絶縁部材の間に隙間ができたとしても、つばにより隙間を覆うことができる。これにより、ランプから放射された光やランプによって加熱された空気がワイヤ引き出し口から漏れるのを防止できる。
【発明の効果】
【００１７】
本発明によれば、ランプユニットのランプケースに形成されたワイヤ引き出し口に、縁に沿って絶縁部材が取り付け、この絶縁部材のワイヤ引き出し用の開口部は、蓋部材によって被覆している。そのため、ランプケースを金属で形成した場合でも、電極端子との間の沿面距離や空間距離を確保することができ、装置の安全性を向上させることができる。また、ランプから放射された光やランプによって加熱された空気がワイヤ引き出し口から漏れるのを防止できる。したがって、プロジェクタの筐体やランプユニットの周囲の部品に耐紫外線の規格に適合したプラスチック樹脂部品ものを使用しなくても良くなり、コストアップを防止できる。また、ランプユニットの周囲の部品が排気漏れにより加熱するのを防止できる。これにより、ランプの電極端子とランプケースとの間で短絡事故が発生したり、プロジェクタの内部が加熱したり、ランプから放射される紫外光によって劣化したりすることがなく、プロジェクタの信頼性を向上させることができる。
【発明を実施するための最良の形態】
【００１８】
図１は、プロジェクタ内部の概略構造を示す斜視図である。プロジェクタ１は、ランプユニット１０、画像投射ユニット３０、電源基板４０，４１、制御基板５０、メインファン６０、及びメインファン７０を備えている。これらは、それぞれ筐体８０に取り付けられている。
【００１９】
ランプユニット１０は、画像投射用の光を出射する。また、ランプユニット１０は、ランプユニット収納部２０に収納されており、プロジェクタ１の本体底面８５側から脱着自在である。
【００２０】
画像投射ユニット３０は、ＤＭＤ等の画像表示デバイスやカラーホイール（不図示）を備えている。画像投射ユニット３０は、画像表示デバイスにて形成した画像を、ランプユニット１０からの光を用いて投射レンズ３１から投射する。
【００２１】
電源基板４０，４１は、ランプユニット１０等に電源を供給する。制御基板５０は、画像投射ユニット３０が備える不図示のカラーホイールや画像形成デバイス等の動作を制御する。
【００２２】
メインファン６０，７０は、プロペラファンであり、筐体８０の一方の側面に形成された吸気口８１，８２に対して取り付けられている。メインファン６０，７０は、吸気口８１，８２から外気を吸入し、筐体８０の反対側の側面に形成された排気口８３，８４から排気する。これにより、プロジェクタ１の本体内部は空冷される。
【００２３】
また、プロジェクタ１は、ランプユニット１０の空冷用に吸気ファン９１を備えている。吸気ファン９１は、メインファン６０，７０によって本体内部に送られた空気を吸い込んでランプユニット１０内に設けられたランプを冷却する。ランプユニット１０の排気口９３から排出された空気は、衝立板９４に当たり、メインファン６０，７０による空気流により本体外部へ排出される。
【００２４】
図２は、ランプユニット及びその周囲の概略構成を示す平面透視図である。図２に示すように、ランプユニット１０は、ランプバルブ１２とリフレクタ１３を備えたランプ１１、フロントカバー１４、リアカバー１５、ランプバルブ１２に電力を供給する不図示のワイヤ等を備えている。
【００２５】
ランプユニット１０は、前記のようにランプユニット収納部２０に収納されている。ランプユニット１０のフロントカバー１４とリアカバー１５は、接合部から空気が漏れないように密着している。フロントカバー１４及びリアカバー１５は、アルミ製である。
【００２６】
フロントカバー１４は、ランプバルブ１２からの光を投射する投射口１４１、及びランプ１１を空冷するための吸気口１４２を備えている。フロントカバー１４は、ランプ１１の前側に取り付けられている。
【００２７】
リアカバー１５は、ランプバルブ１２を冷却した空気を排出するための排気口１５１を備えている。また、排気口１５１は、ランプユニット収納部２０の壁１７に形成された排気口１８に連通している。リアカバー１５は、ランプ１１の後ろ側に取り付けられている。
【００２８】
また、ランプユニット１０には、吸気ファン９１及びダクト９２が取り付けられている。吸気ファン９１は、シロッコファンであり、排気口９１２がダクト９２の吸気口９２１に接合されている。また、ダクト９２の排気口９２２がランプユニット１０におけるフロントカバー１４の吸気口１４２に接合されている。さらに、ダクト９２及びフロントカバー１４の吸気口１４２は、ランプバルブ１２に風（空気）を吹き付ける向きに配置されている。
【００２９】
上記のような構成により、吸気ファン９１が吸気口９１１から吸気した空気をランプ１１のランプバルブ１２に対して前方から直接吹き付けて、ランプバルブ１２を冷却することができる。すなわち、図２に黒矢印１０１〜１１２で示すような空気の流れにより冷却される。まず、吸気ファン９１の吸気口９１１から吸い込まれた空気は、ダクト９２を通過して、フロントカバー１４の吸気口１４２からランプユニット１０内のランプバルブ１２に向かって吹き込まれる（黒矢印１０１〜１０４）。ランプバルブ１２に向かって吹き込まれた空気は、ランプバルブ１２を冷却する。ランプバルブ１２に向かって吹き込まれた空気は、リフレクタ１３の内面近傍を通過し、リアカバー１５とリフレクタ１３の間を通過して、排気口１５１から排気される（黒矢印１０５〜１１２）。
【００３０】
図３は、ランプユニットのワイヤ引き出し口、及びワイヤ引き出し口に絶縁カバーを取り付けた状態を示す図である。図４は、絶縁カバーと蓋の形状を示す斜視図である。
【００３１】
ランプ１１の側面に電極端子１１５が設置されている場合には、図３（Ａ）に示すように、ランプユニット１０のリアケース１５においてワイヤ引き出し口１５２を、電極端子１１５に対向する位置に設ける。これにより、リアカバー１５内においてランプ１１との間でワイヤ１１６を取り回さなくても良くなり、ワイヤの被覆がランプの熱で劣化するのを防止できる。
【００３２】
前記のように、フロントカバー１４及びリアカバー１５がアルミ製なので、ランプ１１の電極端子１１５の付近にワイヤ引き出し口１５２を設ける場合には、所定の沿面距離及び空間距離を確保する必要がある。そこで、本発明では、図３（Ｂ）に示すように、ワイヤ引き出し口１５２の縁に沿って、電極端子１１５を囲む絶縁カバー２５を取り付ける。この絶縁カバー２５には、ランプ１１の電極端子１１５のネジ１１５Ｂを操作したり、電極端子１１５に取り付けたワイヤ１１６を引き出したりするために、開口部２５１が形成されている。
【００３３】
このように、ワイヤ引き出し口１５２に絶縁カバー２５を取り付けることで、電極端子１１５とリアカバー１５の間の沿面距離及び空間距離を確保でき、電気的絶縁を達成できる。
【００３４】
なお、ワイヤ引き出し口１５２においては、ランプ１１から放射された紫外光を含む光が絶縁カバー２５に当たる可能性がある。そのため、絶縁カバー２５には、耐紫外線の規格に適合したプラスチック樹脂部品を使用している。
【００３５】
また、本発明では、図４に示すように、絶縁カバー２５の開口部２５１を蓋２６で被覆するよう取り付ける。つまり、絶縁カバー２５及び蓋２６によって、ワイヤ引き出し口１５２の全体を被覆している。したがって、ランプ１１からの光やランプ１１の発熱によって加熱された空気が、ワイヤ引き出し口１５２から漏れるのを防ぐことができる。
【００３６】
なお、ワイヤ引き出し口１５２においては、ランプ１１から放射された紫外光を含む光が蓋２６にも当たる可能性がある。そのため、蓋２６には、耐紫外線の規格に適合したプラスチック樹脂部品を使用している。また、蓋２６を絶縁カバー２５に取り付ける際には、蓋２６に設けたネジ孔をネジで固定する。
【００３７】
図５は、蓋に設けたリブ及びつばを示す斜視図である。次に、本発明では、図３（Ｂ）に示したように、絶縁カバー２５に設けた切り欠き部２５２と蓋２６の切り欠き部２６２との間から、ランプ１１に電力を供給するワイヤ１１６を引き出している。しかし、このようなワイヤの引き出し方であると、ランプユニット１０をランプユニット収納部２０に収納して、ワイヤを曲げた際に、ワイヤ１１６から蓋２６の切り欠き部２６２に対して押し上げるような力がかかることがある。この場合には、絶縁カバー２５と蓋２６の間に隙間ができてしまい、ランプ１１からの光や、ランプ１１の発熱により加熱された空気が漏れ出すおそれがある。
【００３８】
そこで、本発明では、図５に示すように、蓋２６において、絶縁カバー２５の開口部２５１の周縁が当接する部分に隣接してリブ２６３〜２６６を設けている。また、蓋２６には、絶縁カバー２５に蓋２６を取り付けた際に、絶縁カバー２５と蓋２６の当接部を被覆するつば２６７，２６８を設けている（図５には、絶縁カバー２５に設けた切り欠き部２５２と蓋２６の切り欠き部２６２との周辺につばを設けた例を示している。蓋２６を絶縁カバー２５に取り付けた状態では、リブ２６３〜２６６は絶縁カバー２５の内壁に当接している。また、つば２６７，２６８は、絶縁カバー２５の外壁に当接している。
【００３９】
ここで、リブ２６３〜２６６の高さ、及びつば２６７，２６８の高さは、ワイヤ１１６から蓋２６へ押し上げる力がかかった場合に、絶縁カバー２５と蓋２６の間にできる隙間を塞ぐことができる高さにすれば良く、実験を行って決定すると良い。
【００４０】
上記のような構成にすることで、ワイヤから蓋２６へ押し上げる力がかかって、蓋２６の端部が絶縁カバー２５から離れて、絶縁カバー２５と蓋２６の間に隙間ができたとしても、リブ２６３〜２６６及びつば２６７，２６８によって、この隙間を塞ぐことができる。したがって、絶縁カバー２５と蓋２６の間からランプ１１の光やランプ１１の発熱によって加熱された空気が漏れ出すのを防止できる。
【００４１】
なお、蓋２６における絶縁カバー２５の当接部の全体にわたってリブを形成したり、絶縁カバー２５の外周全体を被覆するようにつばを設けることも可能である。
【図面の簡単な説明】
【００４２】
【図１】プロジェクタ内部の概略構造を示す斜視図である。
【図２】ランプユニットの概略の構成を示す平面透視図である。
【図３】ランプユニットのワイヤ引き出し口、及びワイヤ引き出し口に絶縁カバーを取り付けた状態を示す図である。
【図４】絶縁カバーと蓋の形状を示す斜視図である。
【図５】蓋に設けたリブ及びつばを示す斜視図である。
【符号の説明】
【００４３】
１−プロジェクタ    １０−ランプユニット    １１−ランプ    １２−ランプバルブ    １３−リフレクタ    １４−フロントカバー    １５−ランプケース    １５−リアカバー（ランプケース）    １５−リアケース（ランプケース）    ２０−ランプユニット収納部    ２５−絶縁カバー    ２６−蓋    ３０−画像投射ユニット    ３１−投射レンズ    ４０，４１−電源基板    ５０−制御基板    ６０，７０−メインファン    ８０−筐体    ９１−吸気ファン    ９２−ダクト    ９３−排気口    ９４−衝立板    １１５−電極端子    １１６−ワイヤ    ２６３〜２６６−リブ    ２６７，２６８−つば
【図１】
2007286098.tif 000003
【図２】
2007286098.tif 000004
【図３】
2007286098.tif 000005
【図４】
2007286098.tif 000006
【図５】
2007286098.tif 000007